(57)【特許請求の範囲】
【請求項１】
パソコンを構成するディスプレイ及びＣＰＵユニット部を収納する筐体部にテーブルを出し入れ可能に設け、このテーブル上に前記パソコンのキーボード及びマウスを配置するパソコン収納筐体において、
固定部と折り返し部から成るマウスカバーの前記固定部を前記テーブル上に固定し、
前記折り返し部を固定部に係止させる係止部を設けて、前記マウスを覆うように前記折り返し部を固定部に係止させることにより前記マウスを収納固定することを特徴とするパソコン収納筐体。
【請求項２】
請求項１において、
マウスのケーブルの余長部を、マウスと共にマウスカバーの固定部と折り返し部の間に収納固定することを特徴とするパソコン収納筐体。
【請求項３】
請求項１において、
マウスカバーの固定部を、マウスに対する摩擦が高い素材で形成し、この固定部をテーブル上のキーボードが占める位置を除く全面に固定したことを特徴とするパソコン収納筐体。
【発明の詳細な説明】
【０００１】
【発明の属する技術分野】
本発明は、パソコンを収納する筐体に関するもので、特にマウスを収納固定する構造を備えたパソコン収納筐体に関する。
【０００２】
【従来の技術】
近時、各種の実験データの解析にパソコンが用いられているが、このようなパソコンにおいては使用頻度の少ないものがあり、そのため使用頻度の少ないパソコンを収納する筐体においては、パソコン使用時以外はマウスを固定しておくほうが、安全やマウス保護のために好都合である。
【０００３】
図５は従来のこの種のパソコン収納筐体を示す斜視図である。
図において１は筐体部で、中段付近にテーブル２が設けられており、このテーブル２はスライドレール３により筐体部に出し入れ可能となっている。
このようなパソコン収納筐体に収納されるパソコンは、ディスプレイ４、キーボード５、マウス６及びそのケーブル７、これらを制御するＣＰＵユニット部８により構成されている。
【０００４】
尚、ＣＰＵユニット部８はハードディスク等を備えている。
この構成において、テーブル２を境にして筐体の上段にはディスプレイ４が収納されており、筐体部１の下段にはＣＰＵユニット部８が収納固定されている。
また、テーブル２上にはキーボード５及びマウス６が配置されていて、マウス６のケーブル７はテーブル２の内面側に引き込まれて余長処理されている。
【０００５】
図６は前記筐体部１の要部拡大図で、この図にみられるようにマウス６は１枚の板を折り曲げて形成したハット金具９により上方から押さえられ、ハット金具９をねじ１０でテーブル２にねじ止めすることにより固定されている。
１１はマウス６用のパッドである。
テーブル２は通常所定の塗装が施されていてマウス６に対する摩擦が少ないため、マウス６の操作性を高めるためにこのパッド１１が用いられる。
【０００６】
次に、上述した構成の作用について説明する。
まず、パソコン使用時以外はテーブル２をスライドレール３により筐体部１内に押し込んで収納しておき、そして、パソコン使用時には、テーブル２をスライドレール３により筐体部１から引き出し、ドライバでねじ１０を緩めてハット金具９をテーブル２から取り外すと共に、パッド１１をテーブル２上に置き、このパッド１１上でマウス６を操作する。
【０００７】
使用後は、再びマウス６をハット金具９及びねじ１０によりテーブル２上に固定する。
【０００８】
【発明が解決しようとする課題】
しかしながら、上述した従来の技術では、マウスを使用する毎に、ドライバでねじを緩めると共に、使用後は再びドライバでねじを締めつけなければならないため、取扱性が悪く、しかもマウス使用中はハット金具やねじを保管する決まったスペースがないため、ハット金具やねじを不用意に何処かに置き忘れるとマウス固定時に探さなければならなくなり、紛失の恐れもあるという問題がある。
【０００９】
また、マウスのケーブルはテーブルの内面側に引き込まれて余長処理されているため、テーブル上に出ているケーブルの長さが短くなり、そのためマウスの  操作が制約されるという問題もある。
更に、マウスパッドはマウスの使用時に操作者が持ち込むために、操作者はマウスパッドを持ち歩く必要があり、取り扱いが面倒であるだけでなく、マウス使用の際に持って来るのを忘れると、取りに行かなければならないという煩わしさもある。
【００１０】
従って、本発明は、マウスの固定及び固定の解除を容易に行うことができると共に、マウスの操作に制約を受けず、かつマウスパッドの持ち歩き等の煩わしさを解消することのできるパソコン収納筐体を実現することを課題とするものである。
【００１１】
【課題を解決するための手段】
そのため、本発明は、パソコンを構成するディスプレイ及びＣＰＵユニット部を収納する筐体部にテーブルを出し入れ可能に設け、このテーブル上に前記パソコンのキーボード及びマウスを配置するパソコン収納筐体において、固定部と折り返し部から成るマウスカバーの前記固定部を前記テーブル上に固定し、前記折り返し部を固定部に係止させる係止部を設けて、前記マウスを覆うように前記折り返し部を固定部に係止させることにより前記マウスを収納固定することを特徴とする。
【００１２】
また上述した構成において、マウスのケーブルの余長部を、マウスと共にマウスカバーの固定部と折り返し部の間に収納固定することを特徴とする。
また上述した構成において、マウスカバーの固定部を、マウスに対する摩擦が高い素材で形成し、この固定部をテーブル上のキーボードが占める位置を除く全面に固定したことを特徴とする。
【００１３】
【発明の実施の形態】
以下に図面を参照して本発明の実施の形態の一例を説明する。
図１は本発明によるパソコン収納筐体を示す斜視図である。
図において１は筐体部、２はテーブル、３はスライドレール、４はディスプレイ、５はキーボード、６はマウス、７はケーブル、８はＣＰＵユニット部で、これらは従来のものに相当し、同様に構成されているので同一の符号で示し、その詳細な説明は省略する。
【００１４】
１２は本実施の形態で用いるマウスカバーである。
図２と図３は前記筐体部１の要部拡大図で、図２はマウス６を固定した状態、図３はマウス６の固定を解除した状態を示している。
図４は図３のＡ矢視図である。
図２及び図３にみられるように、マウスカバー１２は、固定部１２ａと折り返し部１２ｂから成り、少なくとも固定部１２はマウスに対して摩擦の高い素材、つまり一般的なマウスパッドと同様のゴムやスポンジ等により形成されている。
【００１５】
この固定部１２ａはテーブル２上のキーボード５が占める部分を除く部分に接着材等により固定されており、図ではキーボード５がテーブル２上の奥の位置に配置されているので、その手前の部分全面に固定されている。
１３ａと１３ｂは互いに接着，分離可能なループ状部材と鉤状部材から成るマジックファスナーで、その一方はマウスカバー１２の固定部１２ａに設けられ、他方は折り返し部１２ｂのに設けられている。
【００１６】
次に上述した構成の作用について説明する。
まず、パソコン使用時以外はテーブル２をスライドレール３により筐体部１内に押し込んで収納しておく。
そして、パソコン使用時には、テーブル２をスライドレール３により筐体部１から引き出すが、このときマウスカバー１２の折り返し部１２ｂはマジックファスナー１３ａ，１３ｂによりテーブル２上に固定されている固定部１２ａに重ねて係止されており、このマウスカバー１２と折り返し部１２ａとの間にマウス６とそのケーブル７の余長部が収納，固定されているので、テーブル２を引き出した後、折り返し部１２ｂを図３に示した矢印Ｂ方向に持ち上げてマジックファスナー１３ｂを１３ａから引き剥がす。
【００１７】
これにより折り返し部１２ｂが開いてマウス６の及びケーブル７の固定が解除されるので、マウスカバー１２上の任意の位置でマウス７を操作する。
このときマウス６のケーブル７の余長部はマウスカバー１２に引き出されているので、マウス６の動きが制約されることはなく、自由に操作可能となる。
使用後は、マウス６をマジックファスナー１３ａ側の位置に寄せ、マウス６を上から覆うように折り返し部１２ｂを折り返してマジックファスナー１３ａ，１３ｂを互いに係止させることでマウス６とそのケーブル７の余長部を収納固定してからテーブル２を筐体部１内に押し込んで収納する。
【００１８】
尚、上述した実施の形態では、マウスカバー１２の固定部１２ａをテーブル２上のキーボード５が占める部分を除く部分の全面に設けるものとしたが、これに限られるものではなく、一部のみに設けるものとしてもよい。
また、マウスカバー１２の折り返し部１２ｂを係止する係止具もマジックファスナー１３ａ，１３ｂに限られるものではなく、係止爪と孔によるものや、その外のものでも代用可能である。
【００１９】
【発明の効果】
以上説明したように、本発明は、パソコンのディスプレイ及びＣＰＵユニット部を収納する筐体部に出し入れ可能に設けたテーブル上に、固定部と折り返し部から成るマウスカバーの前記固定部を固定し、前記折り返し部を固定部に係止させる係止部を設けて、パソコンのマウスを覆うように前記折り返し部を固定部に係止させることにより前記マウスを収納固定するようにしているため、マウスの固定及び固定の解除を容易に行うことができ、従来に比べて取扱性が向上するという効果が得られる。
【００２０】
また、マウスのケーブルの余長部を、マウスと共にマウスカバーの固定部と折り返し部の間に収納固定できるため、マウスの操作に制約を受けず、マウスの操作性が向上するという効果も得られる。
更に、マウスカバーの固定部を、マウスに対する摩擦が高い素材で形成しているため、この固定部上でマウスの操作を行えることになり、マウスパッドの持ち歩き等の煩わしさを解消することができると共に、固定部をテーブル上のキーボードが占める位置を除く全面に固定しているため、任意の位置でマウスを操作できるという利点もある。
【図面の簡単な説明】
【図１】本発明の実施の形態を示す斜視図である。
【図２】実施の形態筐体部１の要部拡大図である。
【図３】実施の形態筐体部１の要部拡大図である。
【図４】図３のＡ矢視図である。
【図５】従来例を示す斜視図である。
【図６】従来例の要部拡大図である。
【符号の説明】
１  筐体部
２  テーブル
３  スライドレール
４  ディスプレイ
５  キーボード
６  マウス
７  ケーブル
８  ＣＰＵユニット部
１２  マウスカバー
１２ａ  固定部
１２ｂ  折り返し部
１３ａ，１３ｂ  マジックファスナー
【図１】
0003843180.tif 000002
【図２】
0003843180.tif 000003
【図３】
0003843180.tif 000004
【図４】
0003843180.tif 000005
【図５】
0003843180.tif 000006
【図６】
0003843180.tif 000007